(57)【要約】【課題】  番組が多く録画されていても、理解しやすいタイトルを設定する。【解決手段】  ハードディスクレコーダ１０は、番組のタイトルの書式を一部分ずつ順序にしたがって表わす、複数の情報を受付けるリモコン受信部３４と、ハードディスク４２が記録した番組を構成する情報のいずれかを読出す読出しヘッド４４と、ハードディスク４２に情報を記録する記録ヘッド４６と、番組を構成する情報のいずれかを用いて、タイトルの書式に対応するように、タイトルを表わす情報を作成し、自らが作成したタイトルを表わす情報をハードディスク４２に上書きで記録するように、記録ヘッド４６を制御する制御部３６とを含む。【選択図】        図１
2006172652.tif 000002
【特許請求の範囲】
【請求項１】
番組のタイトルの書式を一部分ずつ所定の順序にしたがって表わす、複数の情報を受付けるための受付手段と、
ハードディスクが記録した前記番組を構成する情報のいずれかを読出す読出しヘッドと、
前記番組を構成する情報のいずれかを用いて、前記タイトルの書式に対応するように、前記タイトルを表わす情報を作成するための作成手段と、
前記ハードディスクに情報を記録する記録ヘッドと、
前記作成手段が作成したタイトルを表わす情報を上書きで記録するように、前記記録ヘッドを制御するための制御手段とを含む、ハードディスクレコーダ。
【請求項２】
番組のタイトルの書式を表わす情報を受付けるための受付手段と、
記録媒体が記録した前記番組を構成する情報のいずれかを読出すための読出し手段と、
前記番組を構成する情報のいずれかを用いて、前記タイトルの書式に対応するように、前記タイトルを表わす情報を作成するための作成手段と、
前記記録媒体に情報を記録するための記録手段と、
前記作成手段が作成したタイトルを表わす情報を上書きで記録するように、前記記録手段を制御するための制御手段とを含む、番組記録装置。
【請求項３】
前記タイトルの書式を表わす情報は、前記番組のタイトルの書式のいずれかの部分を表わす複数の情報を含む、請求項２に記載の番組記録装置。
【請求項４】
前記番組のタイトルの書式のいずれかの部分を表わす複数の情報は、前記番組のタイトルの書式を一部分ずつ所定の順序にしたがって表わす２つ以上の情報を含む、請求項３に記載の番組記録装置。
【発明の詳細な説明】
【技術分野】
【０００１】
本発明は、ハードディスクレコーダおよび番組記録装置に関し、特に、ユーザが希望するタイトルを設定できるハードディスクレコーダおよび番組記録装置に関する。
【背景技術】
【０００２】
特許文献１は、ユーザによって録画の設定がされた場合や手動で録画を開始する旨が命令された場合に、インターフェイスから得られた情報およびリアルタイムクロックモジュールからの情報に基づいてタイトル付属情報を記録し、かつ文字列（時刻、日付、チャンネルなどからなる、ユーザが書替えできるタイトルの初期値である）を設定するシステムコントローラを開示する。この発明によると、ユーザの手間を増やさずに、タイトルの管理をするための情報を得ることができる。
【０００３】
特許文献２は、番組タイトル名および放送時刻に係る情報より第１の番組タイトル名を指定装置により指定し、その番組タイトル名の文字列と一部分が同一であり、次回に放送される第２の番組タイトル名を検出回路により検出するとともに、その放送時刻を得、第２のタイトルの番組を予約してハードディスクに記録するようにし、放送時間の変更に自動的に追従できる記録装置を開示する。この発明によると、番組タイトルにかかわらずその同一ジャンルの番組を毎回録画できる。
【０００４】
しかしながら、特許文献１および特許文献２に開示された発明では、録画された番組が多くなると、タイトルを見ただけで番組の内容を理解することが難しくなるという問題点がある。
【特許文献１】特開２００１−１６７５６４号公報
【特許文献２】特開２００３−４６９２１号公報
【発明の開示】
【発明が解決しようとする課題】
【０００５】
本発明は上述の問題点を解決するためになされたものであって、その目的は、番組が多く録画されていても、理解しやすいタイトルを設定できるハードディスクレコーダおよび番組記録装置を提供することにある。
【課題を解決するための手段】
【０００６】
上記目的を達成するために、本発明のある局面にしたがうと、ハードディスクレコーダは、番組のタイトルの書式を一部分ずつ所定の順序にしたがって表わす、複数の情報を受付けるための受付手段と、ハードディスクが記録した番組を構成する情報のいずれかを読出す読出しヘッドと、番組を構成する情報のいずれかを用いて、タイトルの書式に対応するように、タイトルを表わす情報を作成するための作成手段と、ハードディスクに情報を記録する記録ヘッドと、作成手段が作成したタイトルを表わす情報を上書きで記録するように、記録ヘッドを制御するための制御手段とを含む。
【０００７】
すなわち、作成手段は、番組を構成する情報のいずれかを用いて、受付手段が受付けた複数の情報が一部分ずつ所定の順序にしたがって表わすタイトルの書式に対応するように、タイトルを表わす情報を作成する。作成されるタイトルは、ハードディスクが記録した番組を構成する情報のいずれかにより構成されることとなる。タイトルの部分となる情報は、受付手段が受付けた情報に対応することとなる。これにより、作成されるタイトルがどのような内容を表わすか理解しやすくなる。制御手段は、作成手段が作成したタイトルを表わす情報を上書きで記録するように、記録ヘッドを制御する。その結果、番組が多く録画されていても、特に理解しやすいタイトルを設定できるハードディスクレコーダを提供することができる。
【０００８】
本発明の他の局面にしたがうと、番組記録装置は、番組のタイトルの書式を表わす情報を受付けるための受付手段と、記録媒体が記録した番組を構成する情報のいずれかを読出すための読出し手段と、番組を構成する情報のいずれかを用いて、タイトルの書式に対応するように、タイトルを表わす情報を作成するための作成手段と、記録媒体に情報を記録するための記録手段と、作成手段が作成したタイトルを表わす情報を上書きで記録するように、記録手段を制御するための制御手段とを含む。
【０００９】
すなわち、作成手段は、番組を構成する情報のいずれかを用いて、受付手段が受付けた情報が表わすタイトルの書式に対応するように、タイトルを表わす情報を作成する。作成されるタイトルは、記録媒体が記録した番組を構成する情報のいずれかにより構成されることとなる。タイトルの部分となる情報は、受付手段が受付けた情報に対応することとなる。これにより、作成されるタイトルがどのような内容を表わすか理解しやすくなる。制御手段は、作成手段が作成したタイトルを表わす情報を上書きで記録するように、記録手段を制御する。その結果、番組が多く録画されていても、理解しやすいタイトルを設定できる番組記録装置を提供することができる。
【００１０】
また、上述のタイトルの書式を表わす情報は、番組のタイトルの書式のいずれかの部分を表わす複数の情報を含むことが望ましい。
【００１１】
すなわち、作成手段は、番組を構成する情報のいずれかを用いて、受付手段が受付けた情報が表わすタイトルの書式に対応するように、タイトルを表わす情報を作成する。受付手段は、タイトルの書式のいずれかの部分を表わす情報を受付ける。タイトルの部分となる情報は、受付手段が受付けた情報に対応する。これにより、作成されるタイトルがどのような内容を表わすかより理解しやすくなる。その結果、番組が多く録画されていても、より理解しやすいタイトルを設定できる番組記録装置を提供することができる。
【００１２】
また、上述の番組のタイトルの書式のいずれかの部分を表わす複数の情報は、番組のタイトルの書式を一部分ずつ所定の順序にしたがって表わす２つ以上の情報を含むことが望ましい。
【００１３】
すなわち、作成手段は、番組を構成する情報のいずれかを用いて、受付手段が受付けた情報が表わすタイトルの書式に対応するように、タイトルを表わす情報を作成する。受付手段は、タイトルの書式を一部分ずつ所定の順序にしたがって表わす情報を受付ける。タイトルの部分となる情報は、受付手段が受付けた情報に対応する。これにより、作成されるタイトルがどのような内容を表わすか特に理解しやすくなる。その結果、番組が多く録画されていても、特に理解しやすいタイトルを設定できる番組記録装置を提供することができる。
【発明の効果】
【００１４】
本発明に係るハードディスクレコーダおよび番組記録装置は、番組が多く録画されていても、理解しやすいタイトルを設定できる。
【発明を実施するための最良の形態】
【００１５】
以下、図面を参照しつつ、本発明の実施の形態について説明する。以下の説明では、同一の部品には同一の符号を付してある。それらの名称および機能も同一である。したがって、それらについての詳細な説明は繰返さない。
【００１６】
図１のハードディスクレコーダ１０は、２種類のデジタル記録メディア再生装置を内蔵し、記録メディアから再生されたコンテンツなど供給される各種コンテンツを、装置外部に予め接続されたモニタ装置１４に映像信号または音声信号として視聴可能なように出力する装置である。リモコン（リモートコントローラの略）１２は、ユーザが各種の指令を入力するために操作される装置であり、その指令に対応する赤外線信号を発信する。
【００１７】
ハードディスクレコーダ１０は、ＤＶＤ（Digital Versatile Disc）読取部２０と、ＨＤ（Hard Disk）装置２２と、放送局から送信されるデジタル放送信号を受信する外部のアンテナ６０を接続するチューナ２４と、ＯＳＤ（On Screen Display)５０を内蔵するデコーダ２６と、メモリ２８と、映像出力部３０と、音声出力部３２と、リモコン受信部３４と、制御部３６と、外部からデジタル情報を供給するための外部装置７０を接続する外部Ｉ／Ｆ（Inter Face）３８とを備える。
【００１８】
ＤＶＤ読取部２０は光ディスク（本実施の形態の場合ＤＶＤディスク）に記録されたデジタルコンテンツの情報を読出す装置である。本実施の形態の場合、ＤＶＤディスクには、任意の情報（本実施の形態の場合、デジタルコンテンツの情報）が記録されている。
【００１９】
ＨＤ装置２２は、ユーザ所望のデジタルコンテンツの信号をハードディスク４２に記録し、その記録したデジタルコンテンツの信号を読出す装置である。ここで、ハードディスク４２に記録される信号としては、たとえばＭＰＥＧ２（Motion Picture Experts Group 2）規格に準拠する映像ファイルやＭＰ３（MPEG-1 Audio Layer3）規格に準拠する音声ファイルなどが挙げられる。
【００２０】
チューナ２４は、アンテナ６０を介して放送局から発信されるデジタル放送信号を入力すると、制御部３６により指定されるチャンネルの放送信号（デジタルコンテンツの信号）を抽出して出力する。
【００２１】
デコーダ２６は、ＤＶＤ読取部２０により再生されたデジタルコンテンツの信号、ＨＤ装置２２がハードディスク４２から読出したデジタルコンテンツの信号、チューナ２４が受信したデジタルコンテンツの信号および外部Ｉ／Ｆ３８を介して外部装置７０から入力されたデジタルコンテンツの信号のうちのいずれかが制御部３６の切換制御により与えられると、与えられたそのデジタル信号を入力して復号（デコード）して出力する。デコーダ２６が内蔵するＯＳＤ５０は制御部３６により与えられた情報に基づいて画像データを生成し、それをモニタ装置１４の画面に可視表示するために映像出力部３０に対して出力する。
【００２２】
メモリ２８には、チューナ２４が受信可能な放送チャンネルが予めチャンネルスキャン（オートスキャン）して取得されて格納され、また、制御部３６の動作プログラムが格納される。メモリ２８には、後述する情報の処理のためのフラグやデータも格納されている。
【００２３】
音声出力部３２は、デコーダ２６が復号した音声信号をモニタ装置１４が出力可能な音声信号に変換してモニタ装置１４に対して出力する。リモコン受信部３４は、赤外線を介してリモコン１２から発信される各種の指令信号を受信して、その指令信号を制御部３６に伝送する。制御部３６は、メモリ２８に格納された動作プログラムに基づいて装置各部の制御を行なう。
【００２４】
ＨＤ装置２２は、記録媒体（本実施の形態の場合ハードディスク４２）が記録した番組を構成する情報のいずれかを読出す読出しヘッド４４と、記録媒体に情報を記録する記録ヘッド４６とを含む。
【００２５】
図２を参照して、ハードディスクレコーダ１０で実行されるプログラムは、タイトルの書式の設定に関し、以下のような制御構造を有する。
【００２６】
ステップ１００（以下、ステップをＳと略す。）にて、リモコン受信部３４は、リモコン１２から信号を受信する。信号が受信されると、リモコン受信部３４は、受信した信号に対応する電気信号を制御部３６に出力する。電気信号が出力されると、制御部３６は、リモコン１２から受信した信号がユーザによるタイトルの変更を表わすか否かを判断する。タイトルの変更を表わすと判断した場合に（Ｓ１００にてＹＥＳ）、処理はＳ１０２へと移される。もしそうでないと（Ｓ１００にてＮＯ）、処理はＳ１０４へと移される。
【００２７】
Ｓ１０２にて、制御部３６は、ＯＳＤ５０に、タイトルの書式の設定画面のデータを生成させる。設定画面のデータが生成されると、制御部３６は、ＯＳＤ５０に、そのデータを出力させる。出力されたデータは、モニタ装置１４に出力される。モニタ装置１４は、そのデータに対応する画像を表示する。データが表示されると、リモコン受信部３４は、リモコン１２からの信号を受付ける。リモコン受信部３４は、受付けた信号を、電気信号に変換する。リモコン受信部３４は、変換した電気信号を制御部３６に出力する。制御部３６は、リモコン受信部３４が出力した信号を解読する。制御部３６は、解読した信号に対応するように、タイトルの書式を表わすデータを生成する。このデータはメモリ２８に一時的に記憶される。制御部３６は、ＯＳＤ５０に、生成されたデータを表わす表示用のデータを生成させる。生成された表示用のデータは、モニタ装置１４に出力される。モニタ装置１４は、そのデータに対応する画像を表示する。リモコン１２の「戻る」を表わすキーが押された旨（本実施の形態の場合、タイトルの書式の設定を確定させた旨を表わす）をデータ制御部３６が解読すると、タイトルの書式を表わすデータの内容は確定する。Ｓ１０４にて、制御部３６は、メモリ２８から基本的なタイトルの書式を表わすデータを読出す。
【００２８】
Ｓ１０６にて、制御部３６は、Ｓ１００にてユーザが指定した番組が録画済みの番組か否かを判断する。録画済みの番組と判断した場合（Ｓ１０６にてＹＥＳ）、処理はＳ１０８へと移される。もしそうでないと（Ｓ１０６にてＮＯ）、処理はＳ１１２へと移される。
【００２９】
Ｓ１０８にて、ＨＤ装置２２の読出しヘッド４４は、タイトルの一部となる情報を、ハードディスク４２から読出す（このとき読出されたデータを「録画情報データ」と称する）。Ｓ１１０にて、制御部３６は、タイトルの書式に対応するように、タイトルを表わす情報を作成する。タイトルを表わす情報が作成されると、制御部３６は、自らが作成したタイトルを表わす情報を上書きするように、記録ヘッド４６を制御する。記録ヘッド４６は、ハードディスク４２にその情報を記録する。
【００３０】
Ｓ１１２にて、制御部３６は、ＨＤ装置２２が記録した情報を参照することにより、予約した録画が終了したか否かを判断する。予約した録画が終了したと判断した場合（Ｓ１１２にてＹＥＳ）、処理はＳ１０８へと移される。もしそうでないと（Ｓ１１２にてＮＯ）、処理はＳ１１４へと移される。Ｓ１１４にて、制御部３６は、予約した録画が終了する時間まで待つ。予約した録画が終了する時間は、メモリ２８に記憶されている。
【００３１】
以上のような構造およびフローチャートに基づく、ハードディスクレコーダ１０の動作について説明する。
【００３２】
［ユーザがタイトルの書式を設定する場合］
制御部３６は、ユーザがタイトルの書式を設定する旨の信号を送信したか否かを判断する（Ｓ１００）。この場合に、ユーザはタイトルの書式を設定する旨の信号を送信したので（Ｓ１００にてＹＥＳ）、制御部３６は、ＯＳＤ５０に、タイトルの書式の設定画面のデータを生成させる。設定画面がモニタ装置１４に表示されると、制御部３６は、ユーザによる送信を受付ける。図３は、本実施の形態における、ＯＳＤ５０が生成した、タイトルの書式を設定するための画面を示す図である。この画面は、ユーザが選択した番組（これから予約しようとする番組および録画済みの番組を含む）に対するタイトルの書式の入力を受付けるための画面である。この画面には、フォーマットの入力を受付けるまで、デフォルトのフォーマットが表示される。既に一度タイトル名が設定されている場合、そのタイトル名が表示される。ユーザがリモコン１２を用いて信号を送信すると、その信号に対応する文字や印が標題欄に表示される（Ｓ１０２）。図３の場合、「テンカ」という文字列、録画の開始日が挿入される旨の印が表示されている。図３の場合、この他にユーザが選択できる印は、「開始時」、「終了日」、「終了時」、「録画時間」、および「録画チャンネル」を含む。図３から明らかなように、本実施の形態の場合、リモコン受信部３４は、番組のタイトルの書式のいずれかの部分を表わす、複数の情報を受付ける。リモコン受信部３４は、これら複数の情報を、少なくとも２つの情報が番組のタイトルの書式を一部分ずつ所定の順序（本実施の形態の場合の「所定の順序」とは画面に表示された順序である）にしたがって表わすように受付ける。番組のタイトルの書式を表わす情報とともにその書式のタイトルにおける位置を表わす情報を送信するなどすれば、リモコン受信部３４は、これら複数の情報を、書式の順を考慮せず受付けることができる。したがって、「所定の順序」は順序が予め定められている限り、画面に表示された順序に限定されない。しかしながら、本実施の形態では、これら複数の情報を、少なくとも２つの情報が番組のタイトルの書式を一部分ずつ画面に表示された順序にしたがって表わすように受付けることとする。
【００３３】
ユーザがタイトルの書式の設定を確定させた旨の信号を送信すると、制御部３６は、ユーザが指定した番組が録画済みか否かを判断する（Ｓ１０６）。この場合、ユーザが指定した番組が録画済みの番組であることとすると（Ｓ１０６にてＹＥＳ）、読出しヘッド４４は、タイトルの一部となる情報を、ハードディスク４２から読出す（Ｓ１０８）。
【００３４】
図４を参照して、本実施の形態における番組のフォーマットは、ヘッダエリア８０と、データエリア８２とを含む。ヘッダエリア８０は、番組を表示したり管理したりするための情報を含む。データエリア８２は、番組の映像や音声のデータを含む。ヘッダエリア８０は、録画情報テーブル８４と、タイトルエリア８６とを含む。録画情報テーブル８４は、録画の日時などのデータを含む。本実施の形態の場合、タイトルの一部となる情報は、この録画情報テーブル８４に含まれている。タイトルエリア８６は、タイトルを表わすデータや番組の再生のためのデータを含む。録画情報テーブル８４は、日付エリア９０と、開始時エリア９２と、終了時エリア９４と、時間長エリア９６と、チャンネルエリア９８と、画質エリア１００とを含む。日付エリア９０は、番組の録画が開始された日付を表わす。本実施の形態の場合、その日付は「ＸＸ／ＸＸ」と表わされる。「ＸＸ」は、最大２桁の数値を表わす。開始時エリア９２は、番組の録画が開始された時間を表わす。本実施の形態の場合、その時間は「ＡＭ  ＸＸ：ＸＸ」または「ＰＭ  ＸＸ：ＸＸ」と表わされる。「ＡＭ」は午前の時間であることを表わす。「ＰＭ」は午後の時間であることを表わす。「ＸＸ」は、最大２桁の数値を表わす。終了時エリア９４は、番組の録画が終了した時間を表わす。本実施の形態の場合、その時間も「ＸＸ：ＸＸ」と表わされる。時間長エリア９６は、番組が録画された時間の長さを表わす。本実施の形態の場合、その時間も「ＸＸ：ＸＸ」と表わされる。チャンネルエリア９８は、録画された番組が放送されたチャンネルを表わす。本実施の形態の場合、そのチャンネルは「ＸＸ／ＸＸ」と表わされる。「ＸＸ」は、最大２桁の数値を表わす。画質エリア１００は、録画の際設定された画質（ＸＰモード、ＳＰモードなど）を表わす。本実施の形態の場合、画質は「Ｘ」と表わされる。「Ｘ」は、１桁の数値を表わす。
【００３５】
情報が読出されると、制御部３６は、番組を構成する情報のうち録画情報テーブル８４が含む情報を用いて、タイトルの書式に対応するように、タイトルを表わす情報を作成する。図３の場合、録画された日付が９月１０日であれば、タイトルは「テンカ（０９／１０）」となる。毎日録画されるたびにタイトルが作成される場合、それらのタイトルは「テンカ（０９／１１）」、「テンカ（０９／１２）」…となる。タイトルを表わす情報が作成されると、制御部３６は、自らが作成したタイトルを表わす情報を上書きするように、記録ヘッド４６を制御する。記録ヘッド４６は、ハードディスク４２にその情報を記録する（Ｓ１１０）。
【００３６】
［ユーザがタイトルの書式を設定しない場合］
制御部３６は、ユーザがタイトルの書式を設定する旨の信号を送信したか否かを判断する（Ｓ１００）。この場合、ユーザはそのような信号を送信しないので（Ｓ１００にてＮＯ）、制御部３６は、メモリ２８から基本的なタイトルの書式を表わすデータを読出す（Ｓ１０４）。図５は、基本的なタイトルの書式が表示された画面を表わす図である。図５の場合、９月１０日の午後４時１４分から午後５時１４分までの８チャンネルの番組が予約されたのであれば、タイトルは「０９／１０  ＰＭ０４：１４〜ＰＭ１７：１４  ８ＣＨ」となる。書式のデータが読出されると、制御部３６は、ユーザが指定したファイルが録画済みのファイルか否かを判断する（Ｓ２０６）。この場合、ユーザが指定したファイルは録画済みのファイルでないとすると（Ｓ１０６にてＮＯ）、制御部３６は、予約した録画が終了したか否かを判断する（Ｓ１１２）。当初、録画が終了していないので（Ｓ１１２にてＮＯ）、制御部３６は、録画が終了するまで待つ（Ｓ１１４）。その後制御部３６は、再び予約した録画が終了したか否かを判断する（Ｓ１１２）。最終的には、録画が終了するので（Ｓ１１２にてＹＥＳ）、ＨＤ装置２２の読出しヘッド４４は、タイトルの一部となる情報を、ハードディスク４２から読出す（Ｓ１０８）。
【００３７】
以上のようにして、本実施の形態に係るハードディスクレコーダは、ユーザが希望するタイトルを、ユーザが希望する情報を含むように設定することができる。これにより、設定されるタイトルは、ユーザにとって理解しやすいタイトルとなる。その結果、番組が多く録画されていても、理解しやすいタイトルを設定できる録画装置を提供できる。
【００３８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３９】
【図１】本発明の実施の形態に係るハードディスクレコーダの制御ブロック図である。
【図２】本発明の実施の形態に係るタイトル設定処理の制御の手順を示すフローチャートである。
【図３】本発明の実施の形態に係るタイトルの書式の設定画面を表わす図（その１）である。
【図４】本発明の実施の形態に係る録画情報テーブルのフォーマットを表わす図である。
【図５】本発明の実施の形態に係るタイトルの書式の設定画面を表わす図（その２）である。
【符号の説明】
【００４０】
１０  ハードディスクレコーダ、１２  リモコン、１４  モニタ装置、２０  ＤＶＤ読取部、２２  ＨＤ装置、２４  チューナ、２６  デコーダ、２８  メモリ、３０  映像出力部、３２  音声出力部、３４  リモコン受信部、３６  制御部、３８  外部Ｉ／Ｆ、４２  ハードディスク、４４  読出しヘッド、４６  記録ヘッド、５０  ＯＳＤ、６０  アンテナ、７０  外部装置、８０  ヘッダエリア、８２  データエリア、８４  録画情報テーブル、８６  タイトルエリア、９０  日付エリア、９２  開始時エリア、９４  終了時エリア、９６  時間長エリア、９８  チャンネルエリア、１００  画質エリア。
【図１】
2006172652.tif 000003
【図２】
2006172652.tif 000004
【図３】
2006172652.tif 000005
【図４】
2006172652.tif 000006
【図５】
2006172652.tif 000007